(57)【要約】【課題】外壁面材の温度状況に応じて好適に水を外壁面材に沿って流すことができる建物の外壁流水システムを提供する。【解決手段】建物１０の一階部分１１及び二階部分１２にはそれぞれ外壁面材２１が設けられ、外壁面材２１には、複数の中空通路２３及び目地通路２９が設けられている。建物１０には、屋根部１５上の貯水槽３１の水を外壁面材２１の水通路２３，２９に供給する水供給系統３０が設けられ、同系統３０は、給水配管３４や水吐出部４０等を備える。貯水槽３１の水が給水配管３４を介して水吐出部４０に供給されると、その水が水吐出部４０より水通路２３，２９に供給される。水吐出部４０は、外壁面材２１の各水通路２３，２９のうち水を吐出する吐出先の水通路２３，２９を切り替える切替機構を備える。コントローラは、外壁温センサ５１により検知された外壁面材２１の温度に基づいて、いずれの水通路２３，２９に水を供給するのかを切り替える。【選択図】図１
2012041705.tif 000002
【特許請求の範囲】
【請求項１】
建物の外壁面材には上下方向に延びる水通路が複数の箇所に設けられ、これら複数の水通路に水を流すべく当該複数の水通路に水を供給する水供給手段を備える建物の外壁流水システムであって、
前記外壁面材の温度を検知する外壁温検知手段と、
前記外壁温検知手段により検知された前記外壁面材の温度に基づいて、前記水供給手段による前記複数の水通路への水の供給態様を制御する供給態様制御手段と、
を備えることを特徴とする建物の外壁流水システム。
【請求項２】
前記建物において前記外壁面材により屋外と仕切られた屋内空間の温度を検知する屋内温検知手段を備え、
前記水供給手段は、前記複数の水通路に供給する水の量を調整する機能を有し、
前記供給態様制御手段は、前記外壁温検知手段により検知された前記外壁面材の温度と前記屋内温検知手段により検知された前記屋内空間の温度とに基づいて、前記水供給手段による前記複数の水通路への水の供給量を制御することを特徴とする請求項１に記載の建物の外壁流水システム。
【請求項３】
前記供給態様制御手段は、前記外壁温検知手段により検知された前記外壁面材の温度に基づいて、前記複数の水通路のうちいずれの水通路に水を供給するのかを前記水供給手段により切り替えることを特徴とする請求項１又は２に記載の建物の外壁流水システム。
【請求項４】
前記外壁温検知手段の検知結果に基づいて、前記建物の周りで火災が発生しているか否かを判定する火災判定手段を備え、
前記供給態様制御手段は、前記火災が発生していないと判定された場合と、前記火災が発生していると判定された場合とで、前記水供給手段による前記複数の水通路への水の供給態様を変更することを特徴とする請求項１乃至３のいずれか一項に記載の建物の外壁流水システム。
【請求項５】
前記水通路として、火災時にのみ水を流す火災時用水通路を備え、
前記火災時用水通路は、前記建物の外周部において前記外壁面材が存在していない部位に設けられ又は当該部位に通じており、
前記供給態様制御手段は、前記火災判定手段により火災が発生していると判定された場合に、少なくとも前記火災時用水通路へ水を供給するよう前記水供給手段を制御することを特徴とする請求項４に記載の建物の外壁流水システム。
【請求項６】
前記建物には、前記外壁面材が横並びに複数設けられ、
隣り合う外壁面材の間には目地部が形成されており、
前記火災時用水通路は、前記目地部により構成されていることを特徴とする請求項５に記載の建物の外壁流水システム。
【請求項７】
前記外壁面材には、屋内外を連通する開口部が設けられ、
前記火災時用水通路は、その下流側端部が前記開口部に通じており、前記火災時用水通路から前記開口部に水が供給されることを特徴とする請求項５又は６に記載の建物の外壁流水システム。
【請求項８】
前記水通路として、前記外壁面材の表面側に設けられた表面通路と、前記外壁面材の内部に設けられた内部通路とを備え、
前記供給態様制御手段は、前記火災判定手段により火災が発生していないと判定された場合には前記表面通路に水を供給し、前記火災判定手段により火災が発生していると判定された場合には前記表面通路及び前記内部通路の双方に水を供給するよう前記水供給手段を制御することを特徴とする請求項４乃至７のいずれか一項に記載の建物の外壁流水システム。
【請求項９】
前記建物は、上下に隣接する上階部と下階部とを有しており、
前記上階部及び前記下階部の各外壁面材にそれぞれ前記複数の水通路が設けられ、それら上階側の水通路と下階側の水通路とが通じており、
前記外壁温検知手段は、前記上階部の外壁面材の温度と前記下階部の外壁面材の温度とを検知するものであり、
前記水供給手段は、前記上階側の水通路と前記下階側の水通路とに個別に水を供給可能であり、
前記供給態様制御手段は、前記外壁温検知手段により検知された前記上階部の外壁面材の温度と前記下階部の外壁面材の温度とに基づいて、前記上階側の水通路及び前記下階側の水通路のうちいずれの水通路に水を供給するかを前記水供給手段により切り替えることを特徴とする請求項１乃至８のいずれか一項に記載の建物の外壁流水システム。
【発明の詳細な説明】
【技術分野】
【０００１】
本発明は、建物の外壁流水システムに関する。
【背景技術】
【０００２】
従来より、屋外側から建物に散水したり建物の外周部に沿って水を流したりする等して建物を冷却する技術が知られている。例えば特許文献１には、屋根面に向けて水を放出する噴射ノズルを設けた構成が開示されている。これによれば、噴射ノズルから放出された水が屋根面を流れ落ちる間に屋根の熱により気化されるため、その気化熱により屋根の温度上昇を抑制することができ、ひいては建物内の温度上昇を抑制できる。
【０００３】
また、屋外側に露出した外壁面材の上部（望ましくは上端部）に向け水を放出する噴射ノズルを設ける構成が考えられる。この場合、噴射ノズルから放出された水が外壁面材に沿って下方に流れ、その流れ落ちる間に気化される。これにより、その気化熱により外壁面材の温度上昇を抑制できる。
【先行技術文献】
【特許文献】
【０００４】
【特許文献１】特開２００６−７７４１０号公報
【発明の概要】
【発明が解決しようとする課題】
【０００５】
一般に外壁面材の温度は日射量や外気温等屋外の環境に依存して変動する。例えば、夏場等、外気温が高かったり日射量が多かったりする場合には、外壁面材の温度が著しく高くなる。ここで、上記の技術により外壁面材を冷却するにあたっては、例えば開閉弁の開閉により外壁面材に対して水が一様に放出されるが、外壁面材の温度によっては十分に冷却能力が得られないと考えられる。また、冷却効果を高めるべく水量を多めに設定しておくと水使用量が過多になると考えられる。
【０００６】
本発明は、上記事情に鑑みてなされたものであり、外壁面材の温度状況に応じて好適に水を外壁面材に沿って流すことができる建物の外壁流水システムを提供することを主たる目的とするものである。
【課題を解決するための手段】
【０００７】
上記課題を解決すべく、第１の発明の建物の外壁流水システムは、建物の外壁面材には上下方向に延びる水通路が複数の箇所に設けられ、これら複数の水通路に水を流すべく当該複数の水通路に水を供給する水供給手段を備える建物の外壁流水システムであって、前記外壁面材の温度を検知する外壁温検知手段と、前記外壁温検知手段により検知された前記外壁面材の温度に基づいて、前記水供給手段による前記複数の水通路への水の供給態様を制御する供給態様制御手段と、を備えることを特徴とする。
【０００８】
本発明によれば、外壁面材の温度に基づいて、外壁面材に設けられた複数の水通路への水の供給態様が制御される。したがって、例えば日射量が増大する等して外壁面材の温度が高くなった場合に、複数の水通路への水の供給量を増やしこれら水通路を流れる水の量を多くしたり、外壁面材の温度が特に高い部分に集中的に水を供給したりすることで、外壁面材の温度上昇を抑制する効果を高めることができる。この場合、外壁面材の温度状況に応じて好適に水を外壁面材に沿って流すことができる。
【０００９】
第２の発明の建物の外壁流水システムは、第１の発明において、前記建物において前記外壁面材により屋外と仕切られた屋内空間の温度を検知する屋内温検知手段を備え、前記水供給手段は、前記複数の水通路に供給する水の量を調整する機能を有し、前記供給態様制御手段は、前記外壁温検知手段により検知された前記外壁面材の温度と前記屋内温検知手段により検知された前記屋内空間の温度とに基づいて、前記水供給手段による前記複数の水通路への水の供給量を制御することを特徴とする。
【００１０】
本発明によれば、外壁面材の温度に基づいて、複数の水通路への水の供給量が制御される。したがって、外壁面材の温度が高くなった場合には、複数の水通路への水の供給量を増やしこれらの水通路を流れる水の量を多くすることで外壁面材の温度上昇を抑制する効果を高める等、外壁面材の温度状況に応じて適切な量の水を外壁面材に沿って流すことが可能となる。
【００１１】
また、外壁面材の温度に加え屋内空間の温度に基づいて、複数の水通路への水の供給量が制御されるため、屋内空間の温度が高い場合に複数の水通路に流す水の量を多くする等することができる。よって、屋内空間が暑くなっている場合に、外壁面材の温度上昇を抑制する効果を高めることができ、その結果屋内空間における冷房負荷の軽減を図ることができる。
【００１２】
第３の発明の建物の外壁流水システムは、第１又は第２の発明において、前記供給態様制御手段は、前記外壁温検知手段により検知された前記外壁面材の温度に基づいて、前記複数の水通路のうちいずれの水通路に水を供給するのかを前記水供給手段により切り替えることを特徴とする。
【００１３】
本発明によれば、外壁面材の温度に基づいて、複数の水通路のうちいずれの水通路に水を供給するのかを切り替えられる。したがって、日射の方角の変動により外壁面材において温度上昇する部位が移動しても、かかる部位に追従して当該部位付近の水通路に水を流す等、外壁面材の温度状況に応じて外壁面材において水を流す場所を変えることができる。
【００１４】
第４の発明の建物の外壁流水システムは、第１乃至第３のいずれかの発明において、前記外壁温検知手段の検知結果に基づいて、前記建物の周りで火災が発生しているか否かを判定する火災判定手段を備え、前記供給態様制御手段は、前記火災が発生していないと判定された場合と、前記火災が発生していると判定された場合とで、前記水供給手段による前記複数の水通路への水の供給態様を変更することを特徴とする。
【００１５】
本発明によれば、隣家等建物の周りで火災が発生しているか否かに応じて外壁面材における複数の水通路への水の供給態様が変更される。そのため、建物周りで火災が発生している場合には、火災が発生していない場合よりも複数の水通路への水の供給量を増やしこれら水通路を流れる水の量を増やす等することで外壁面材周辺の防火性能を高めることができる。これにより、建物周りで火災が発生しているか否かに応じて好適に外壁面材に沿って水を流すことができる。
【００１６】
第５の発明の建物の外壁流水システムは、第４の発明において、前記水通路として、火災時にのみ水を流す火災時用水通路を備え、前記火災時用水通路は、前記建物の外周部において前記外壁面材が存在していない部位に設けられ又は当該部位に通じており、前記供給態様制御手段は、前記火災判定手段により火災が発生していると判定された場合に、少なくとも前記火災時用水通路へ水を供給するよう前記水供給手段を制御することを特徴とする。
【００１７】
建物周りで火災が発生している場合と火災が発生していない場合とでは外壁面材において水を流すべき場所が異なる。例えば、火災発生時には、建物外周部にて外壁面材が存在していない部位に、すなわち建物外周部にて防火性の面で劣る部位に水を供給したり水を流したりすることが望ましい。その点、本発明では、火災発生時に外壁面材が存在してない部位に水を供給したり水を流したりすることができるため、建物外周部の防火性能を効果的に高めることができる。
【００１８】
第６の発明の建物の外壁流水システムは、第５の発明において、前記建物には、前記外壁面材が横並びに複数設けられ、隣り合う外壁面材の間には目地部が形成されており、前記火災時用水通路は、前記目地部により構成されていることを特徴とする。
【００１９】
本発明によれば、建物周りで火災が発生した場合には隣り合う外壁面材の間に形成された目地部に沿って水を流すことができる。これにより、目地部の防火性能を高めることができ、目地部を通じて火が建物内に入りこむのを抑制することができる。
【００２０】
第７の発明の建物の外壁流水システムは、第５又は第６の発明において、前記外壁面材には、屋内外を連通する開口部が設けられ、前記火災時用水通路は、その下流側端部が前記開口部に通じており、前記火災時用水通路から前記開口部に水が供給されることを特徴とする。
【００２１】
本発明によれば、建物周りで火災が発生した場合には外壁面材に形成された開口部に火災時用水通路を通じて水が供給されるため、建物内への火の入り込み口となり易い開口部の防火性能を高めることができる。
【００２２】
第８の発明の建物の外壁流水システムは、第４乃至第７のいずれかの発明において、前記水通路として、前記外壁面材の表面側に設けられた表面通路と、前記外壁面材の内部に設けられた内部通路とを備え、前記供給態様制御手段は、前記火災判定手段により火災が発生していないと判定された場合には前記表面通路に水を供給し、前記火災判定手段により火災が発生していると判定された場合には前記表面通路及び前記内部通路の双方に水を供給するよう前記水供給手段を制御することを特徴とする。
【００２３】
本発明によれば、建物周りで火災が発生してない非火災時には外壁面材に設けられた表面通路に水を流すことができ、建物周りで火災が発生している火災時には表面通路に加え内部通路に水を流すことができる。ここで、火災発生時には外壁面材の表面通路に水を流しても、火災による炎熱の影響で水が短時間で気化し消失してしまうおそれがある。これに対し、外壁面材の内部通路に水を流すようにすると、炎熱による水の気化を抑制することができ、外壁面材の温度上昇を抑制する上で好ましい。
【００２４】
また、非火災時は、主に水通路を流れる水の気化に伴う気化熱により外壁面材の温度上昇の抑制を図り、火災時は、主に炎熱により加熱された外壁面材よりも低温の水を水通路に流すことで外壁面材の温度上昇の抑制を図ることが考えられる。この点を鑑みると、非火災時には表面通路に水を流し、火災時には表面通路に加え内部通路に水を流す上記の構成は望ましいといえる。
【００２５】
第９の発明の建物の外壁流水システムは、第１乃至第８のいずれかの発明において、前記建物は、上下に隣接する上階部と下階部とを有しており、前記上階部及び前記下階部の各外壁面材にそれぞれ前記複数の水通路が設けられ、それら上階側の水通路と下階側の水通路とが通じており、前記外壁温検知手段は、前記上階部の外壁面材の温度と前記下階部の外壁面材の温度とを検知するものであり、前記水供給手段は、前記上階側の水通路と前記下階側の水通路とに個別に水を供給可能であり、前記供給態様制御手段は、前記外壁温検知手段により検知された前記上階部の外壁面材の温度と前記下階部の外壁面材の温度とに基づいて、前記上階側の水通路及び前記下階側の水通路のうちいずれの水通路に水を供給するかを前記水供給手段により切り替えることを特徴とする。
【００２６】
上階部及び下階部の各外壁面材に設けられた水通路同士が上下に通じている構成では、上階側の水通路に水を供給し、その供給した水が上階側の水通路を下方に流れ終えた後下階側の水通路に流れ込むようにすることが考えられる。しかしながら、この場合、下階側の水通路には、上階側で暖められた水が流れることとなるため、下階部の外壁面材についてはその温度上昇を効果的に抑制できないおそれがある。その点、本発明によれば、上階側の水通路と下階側の水通路とに個別に水を供給できるため、下階側の水通路に直接水を供給でき、その結果かかる不都合を回避できる。また、上階部の外壁面材の温度と下階部の外壁面材の温度とに基づいて上階側の水通路及び下階側の水通路のうちいずれに水を供給するかを切り替えられるため、例えば下階部の外壁面材の温度が高い場合には、下階側の水通路に直接水が供給することが可能となる。そのため、下階部の外壁面材の温度上昇を抑制するにあたり都合のよい構成といえる。
【図面の簡単な説明】
【００２７】
【図１】第１の実施形態における外壁流水システムの構成を示す図。
【図２】横並びに設けられた外壁面材の構成を示す横断面図。
【図３】水吐出部及びその周辺の構成を示す縦断面図。
【図４】水吐出部の構成を示す縦断面図。
【図５】切替部材を回転させた様子を示す縦断面図。
【図６】外壁流水制御処理を示すフローチャート。
【図７】第２の実施形態における外壁面材の構成を示す横断面図。
【図８】給水系統を示す平面図。
【図９】外壁面材周辺を屋外側から見た図。
【図１０】他の実施形態における外壁流水システムの構成を示す図。
【図１１】外壁面材の中空部に分岐系統を設けた状態を示す横断面図。
【図１２】外壁部における温度分布を示す図。
【図１３】外壁流水システムの構成を示す図。
【図１４】外壁流水システムの構成を示す図。
【図１５】水通路構成部材により水通路を構成した状態を示す横断面図。
【発明を実施するための形態】
【００２８】
〔第１の実施形態〕
以下に、本発明を具体化した一実施の形態について図面を参照しつつ説明する。なお、図１は外壁流水システムの構成を示す図である。
【００２９】
図１に示すように、本実施形態の建物１０は、下階部としての一階部分１１と、上階部としての二階部分１２とを有する二階建て建物であり、その屋根部１５は陸屋根として構成されている。建物１０には、一階部分１１に一階居室１６が設けられ、二階部分１２に二階居室１７が設けられている。建物１０には、一階居室１６及び二階居室１７を屋外と仕切る外壁部１９が設けられている。外壁部１９は、一階部分１１及び二階部分１２にそれぞれ設けられた外壁面材２１を備える。一階部分１１の外壁面材２１と二階部分１２の外壁面材２１とは上下に並んで設置されており、それら各外壁面材２１により上下に連続した屋外面が形成されている。なお、各外壁面材２１は、図示しないフレーム材を介して建物１０の柱や梁等に組み付けられている。
【００３０】
次に、外壁面材２１周辺の構成について図２に基づいて説明する。外壁面材２１は、一階部分１１及び二階部分１２においてそれぞれ横並びに複数設けられており、図２は横並びに設けられた外壁面材２１の構成を示す横断面図である。
【００３１】
図２に示すように、外壁面材２１は、上下方向に延びる略四角柱状の中空部２３を複数有しており、例えば押出成形セメント板により構成されている。これら各中空部２３は、後述する水を流すための水通路となっており、以下の説明では場合によって中空部を中空通路２３ともいう。
【００３２】
外壁面材２１の各中空通路２３は同外壁面材２１の幅方向に沿って所定間隔で設けられ、詳しくは等間隔で設けられている。外壁面材２１の各中空通路２３は、外壁面材２１の高さ方向全域に亘って上下に延びており、上端部及び下端部においてそれぞれ上方及び下方に開口されている。また、一階部分１１の外壁面材２１と二階部分１２の外壁面材２１とが上下に並んで設置された状態では、上下各外壁面材２１の各々の中空通路２３が上下直列に配置されている。つまり、一階側の中空通路２３と、二階側の中空通路２３とは上下に通じている。
【００３３】
隣り合う外壁面材２１の間には、目地部としての縦目地２５が形成されている。縦目地２５には、当該縦目地２５を通じて屋内側に雨水が浸入するのを防止すべく１次止水シール２７と２次止水シール２８とが設けられている。これら各止水シール２７，２８は定形シールからなり、例えばエチレン・プロピレン・ジエンゴム（ＥＰＤＭ）等の弾性を有する樹脂素材により形成されている。各止水シール２７，２８は、縦目地２５に沿って上下に延びるように形成されており、１次止水シール２７が縦目地２５において屋外側に設けられ、２次止水シール２８が縦目地２５において屋内側に設けられている。また、各止水シール２７，２８は、縦目地２５よりも厚く形成されており、それ故縦目地２５において隣り合う外壁面材２１の間に圧縮状態で介在されている。
【００３４】
この場合、縦目地２５には、１次止水シール２７と２次止水シール２８との間に上下に延びる目地通路２９が形成されている。この目地通路２９は上端部及び下端部においてそれぞれ上方及び下方に開口されている。この目地通路２９は、通常は１次止水シール２７を通過して同通路２９に浸入した水を下方に導いて排水する排水通路として機能する。また、一階部分１１の目地通路２９と二階部分１２の目地通路２９とは上下に直列に配置されている。
【００３５】
ところで、本実施形態の建物１０には、外壁面材２１に設けられた中空通路２３及び目地通路２９に水を供給することにより、それら各通路２３，２９に水を流す外壁流水システムが設けられている。以下、この外壁流水システムの構成について説明する。なお、本実施形態では、建物１０において隣家５５に面して設けられた外壁面材２１に本システムを適用することを想定している。また、ここで中空通路２３及び目地通路２９が水通路に相当する。
【００３６】
図１に示すように、建物１０の屋根部１５上には、雨水を貯留するための貯水槽３１が設けられている。また、貯水槽３１には、水道配管３２が接続されており、同貯水槽３１に水道水を供給できるようになっている。したがって、本貯水槽３１には、晴天が続く等して貯水量が不足した場合に水道水による水の補充が可能となっている。
【００３７】
なお、かかる水補充手段としては、水道水を補充する以外に、建物１０内の水廻り設備（浴槽や洗面台など）から排水された生活排水（中水）を補充することが考えられる。また、貯水槽３１の貯水量を検知する貯水量センサを設け、同センサの検知結果に基づき貯水量の不足が判定された場合に水補充手段による水の補充を行うようにしてもよい。
【００３８】
建物１０には、貯水槽３１の水を外壁面材２１の水通路２３，２９に供給する水供給系統３０が設けられている。水供給手段としての水供給系統３０は、給水配管３４と、水吐出部４０と、開閉バルブ３６とを備えて構成されている。給水配管３４は、貯水槽３１に接続されており、給水配管３４の下流側には水吐出部４０が接続されている。水吐出部４０は、二階部分１２の外壁面材２１に設けられた水通路２３，２９に当該水通路２３，２９の上方から水を吐出するものであり、二階部分１２の外壁面材２１の上方にて当該外壁面材２１の幅方向に沿って延びている。水吐出部４０より水が吐出されると、水通路２３，２９には通路上端より水が供給される。なお、水吐出部４０の詳細は後述する。
【００３９】
給水配管３４には、同配管３４における水の流通を許可又は禁止する開閉バルブ３６が設けられている。開閉バルブ３６は、電気的な操作により開閉動作を行うものである。開閉バルブ３６が開状態とされると、貯水槽３１の水が給水配管３４を通じて水吐出部４０に供給され、その供給された水が水吐出部４０より二階部分１２の外壁面材２１における所定の水通路２３，２９に吐出（供給）される。ここで、吐出された水は当該水通路２３，２９を下方に向かって流れ、その後、当該水通路２３，２９の下方に設けられた一階部分１１の外壁面材２１の水通路２３，２９に流れ込む。そして、その流れ込んだ水は一階部分１１の水通路２３，２９を下方に流れ、最終的に当該水通路２３，２９の下端開口部より屋外に放出される。
【００４０】
次に、水吐出部４０の構成について図３に基づいて説明する。なお、図３は、水吐出部４０及びその周辺の構成を示す縦断面図である。
【００４１】
水吐出部４０は、外壁面材２１に設けられた各水通路２３，２９のうち、水を吐出（供給）する吐出先（供給先）の水通路２３，２９を切り替える切替機構を備えている。すなわち、水吐出部４０は、図３に示すように、内外二重に構成されており、内側に設けられた吐出配管４１と、外側に設けられ吐出配管４１に対し回転することで水の吐出先となる水通路２３，２９を切り替える切替部材４２とを備える。
【００４２】
吐出配管４１は、円筒状に形成されており、例えば金属製のパイプからなる。吐出配管４１は、二階部分１２の各外壁面材２１上において外壁面材２１の幅方向に沿って延びている。詳細には、吐出配管４１は、二階部分１２の各外壁面材２１上において、二階部分１２における各外壁面材２１の各々の中空通路２３と目地通路２９とに跨って延びている。吐出配管４１の一端部（上流側端部）には給水配管３４が接続され、吐出配管４１の他端部（下流側端部）の開口は円形プレートにより塞がれている。
【００４３】
吐出配管４１には、その長手方向において、外壁面材２１の各中空通路２３の上方位置と、目地通路２９の上方位置とに吐出孔部４３が設けられている。吐出孔部４３は、貯水槽３１より吐出配管４１に供給された水を水通路２３，２９に吐出するための孔であり、水通路２３，２９側（下側）に向けて開口されている。
【００４４】
切替部材４２は、吐出配管４１の各吐出孔部４３のうちいずれの吐出孔部４３から水を吐出するかを切り替えるものである。切替部材４２は、円筒状に形成されており、吐出配管４１の外径とほぼ同じ内径寸法を有している。
【００４５】
切替部材４２には、その長手方向において吐出配管４１の各吐出孔部４３に対応する位置に、換言すると外壁面材２１に設けられた各中空通路２３及び各目地通路２９の上方位置にそれぞれ、切替部材４２の内外を連通する開口部４５が設けられている。ここで、開口部４５の詳細を図３に加え図４を参照しつつ説明する。図４は、吐出配管４１をその長手方向と直交する面で切断した断面図であり、（ａ）が隣り合う中空通路２３ａ，２３ｂのうちの一方である第１中空通路２３ａの上方位置における断面図（図３のＡ−Ａ線断面図に相当）、（ｂ）が隣り合う中空通路２３ａ，２３ｂのうちの他方である第２中空通路２３ｂの上方位置における断面図（図３のＢ−Ｂ線断面図に相当）、（ｃ）が目地通路２９の上方位置における断面図（図３のＣ−Ｃ線断面図に相当）である。なお、第１中空通路２３ａと第２中空通路２３ｂとは外壁面材２１の幅方向に交互に配置されている。また、図４では、説明の便宜上、水吐出部４０の断面において開口部分に網掛けを付している（後述する図５も同様）
図３及び図４に示すように、本切替部材４２には、開口部４５として、同切替部材４２の外周方向において開口位置の異なる第１開口部４５ａ、第２開口部４５ｂ及び第３開口部４５ｃが設けられている。第１開口部４５ａは各第１中空通路２３ａの上方位置に設けられ、第２開口部４５ｂは各第１中空通路２３ａ及び各第２中空通路２３ｂ（すなわち各中空通路２３）の上方位置に設けられ、第３開口部４５ｃは各中空通路２３及び各目地通路２９の上方位置に設けられている。換言すると、切替部材４２には、第１中空通路２３ａの上方位置に第１乃至第３開口部４５ａ〜４５ｃが設けられ（図４（ａ）参照）、第２中空通路２３ｂの上方位置に第２開口部４５ｂ及び第３開口部４５ｃが設けられ（図４（ｂ）参照）、目地通路２９の上方位置に第３開口部４５ｃが設けられている（図４（ｃ）参照）。
【００４６】
切替部材４２は、吐出配管４１の外周に沿って回転することにより第１乃至第３開口部４５ａ〜４５ｃの位置を外周方向に変えることが可能となっている。図５は、切替部材４２を回転させた様子を示す断面図である。図５において（ａ）は、切替部材４２が、その第１開口部４５ａが吐出配管４１の吐出孔部４３と連続する第１位置にある場合を示し、（ｂ）は、切替部材４２が、その第２開口部４５ｂが吐出配管４１の吐出孔部４３と連続する第２位置にある場合を示し、（ｃ）は、切替部材４２が、その第３開口部４５ｃが吐出配管４１の吐出孔部４３と連続する第３位置にある場合を示している。このように、本切替部材４２は、第１乃至第３位置の間で回転することが可能となっている。なお、図５（ａ）〜（ｃ）ではそれぞれ、図４と同様、水吐出部４０における第１中空通路２３ａ、第２中空通路２３ｂ及び目地通路２９の各上方位置における断面図を示している。
【００４７】
図５（ａ）に示すように、切替部材４２が第１位置にある場合には、吐出配管４１の各吐出孔部４３のうち第１中空通路２３ａの上方に位置する吐出孔部４３のみが開口される。この場合、当該開口された吐出孔部４３より貯水槽３１の水が各第１中空通路２３ａに吐出（供給）される。また、図５（ｂ）に示すように、切替部材４２が第２位置にある場合には、吐出配管４１の各吐出孔部４３のうち第１中空通路２３ａ及び第２中空通路２３ｂの上方に位置する吐出孔部４３が開口される。この場合、当該開口された吐出孔部４３より貯水槽３１の水が各第１中空通路２３ａ及び各第２中空通路２３ｂに吐出（供給）される。さらに、図５（ｃ）に示すように、切替部材４２が第３位置にある場合には、吐出配管４１の各吐出孔部４３がすべて開口される。この場合、当該開口された各吐出孔部４３より貯水槽３１の水が各中空通路２３（２３ａ，２３ｂ）及び各目地通路２９すべてに吐出（供給）される。
【００４８】
以上より、本吐出部４０では、上記のように切替部材４２の位置切替を行うことで、貯水槽３１の水を供給する供給先の水通路２３，２９の数を増減させることが可能となっており、ひいては複数の水通路２３，２９への水の供給量を大小調整することが可能となっている。具体的には、切替部材４２が第１位置にある場合、第２位置にある場合、第３位置にある場合の順序で複数の水通路２３，２９への水の供給量を大きくすることができる。
【００４９】
また、図３に示すように、切替部材４２には、同部材４２を回転駆動する回転駆動部４７が設けられている。回転駆動部４７は、例えば周知の電動モータにより構成されている。本実施形態では、この回転駆動部４７を駆動させることにより、切替部材４２を第１位置乃至第３位置の各位置に回転移動させることとしている。
【００５０】
図１の説明に戻り、建物１０の一階部分１１及び二階部分１２には、外壁温検知手段としての外壁温センサ５１が設けられている。一階外壁温センサ５１ａは、一階部分１１の外壁面材２１の温度を検知するセンサであり、例えば一階部分１１の各外壁面材２１のうちいずれか一つに設けられている。二階外壁温センサ５１ｂは、二階部分１２の外壁面材２１の温度を検知するセンサであり、例えば二階部分１２の各外壁面材２１のうちいずれか一つに設けられている。
【００５１】
建物１０の一階部分１１及び二階部分１２には、屋内温検知手段としての居室温センサ５２が設けられている。一階居室温センサ５２ａは、一階居室１６の温度を検知するセンサであり、二階居室温センサ５２ｂは、二階居室１７の温度を検知するセンサである。各居室温センサ５２ａ，５２ｂは、例えばそれぞれの居室１６，１７の内壁面に設けられている。
【００５２】
次に、本システムの電気的構成について説明する。建物１０には、供給態様制御手段としてのコントローラ５０が設けられている。コントローラ５０は、ＣＰＵ等を有する周知のマイクロコンピュータを備えて構成されている。コントローラ５０には、外壁温センサ５１及び居室温センサ５２から逐次検知結果が入力される。コントローラ５０は、これら各センサ５１，５２からの検知結果に基づいて、開閉バルブ３６及び回転駆動部４７を動作制御する。
【００５３】
次に、コントローラ５０により実行される給水制御処理について図６に基づいて説明する。なお、図６は給水制御処理を示すフローチャートである。また、本処理は、所定の周期で繰り返し実行される。
【００５４】
まずステップＳ１１では、各外壁温センサ５１ａ，５１ｂの検知結果に基づいて、隣家５５で火災が発生したか否かを判定する。具体的には、この判定は、一階部分１１の外壁面材２１の温度及び二階部分１２の外壁面材２１の温度の少なくともいずれかが所定の火災発生温度Ｔｆよりも高くなったか否かに基づいて行う。ここで、所定の火災発生温度Ｔｆは、太陽光の照射等、環境要因によっては上昇し得ない温度に設定されており、例えば８０℃に設定されている。隣家５５で火災が発生していない場合にはステップＳ１２に進む。
【００５５】
ステップＳ１２では、各外壁温センサ５１ａ，５１ｂの検知結果に基づいて、外壁面材２１の温度が所定の給水開始温度Ｔｗ以上であるか否かを判定する。なお、給水開始温度Ｔｗは、火災発生温度Ｔｆよりも低温であり、例えば４０℃に設定されている。この判定は、例えば一階部分１１の外壁面材２１の温度及び二階部分１２の外壁面材２１の温度の少なくともいずれかが給水開始温度Ｔｗ以上であるか否かに基づいて行う。外壁面材２１の温度が給水開始温度Ｔｗ以上である場合にはステップＳ１４に進む。
【００５６】
ステップＳ１４では、外壁温センサ５１及び居室温センサ５２の検知結果に基づいて通常給水処理を実施する。本処理では、外壁面材２１の温度が所定の閾値αよりも低く、かつ、居室１６，１７の温度が所定の閾値βよりも低い場合には、開閉バルブ３６を開状態とするとともに、回転駆動部４７を駆動させ切替部材４２を第１位置に移動させる。なおここで、外壁温に関する所定の閾値αは例えば６０℃に設定され、居室温に関する所定の閾値βは例えば３５℃に設定されている。これにより、外壁面材２１の温度及び居室１６，１７の温度の双方が著しく高くなってない場合には、貯水槽３１の水が水吐出部４０より第１中空通路２３ａにのみ供給される。つまり、この場合複数の中空通路２３に対して比較的小流量で水を流すことができる。
【００５７】
一方、外壁面材２１の温度が所定の閾値α以上である場合、又は、居室１６，１７の温度が所定の閾値β以上である場合には、開閉バルブ３６を開状態とするとともに、回転駆動部４７を駆動させ切替部材４２を第２位置に移動させる。これにより、外壁面材２１の温度及び居室１６，１７の温度の少なくともいずれかが著しく高くなっている場合には、貯水槽３１の水が第１中空通路２３ａに加え第２中空通路２３ｂにも供給される。つまり、この場合複数の中空通路２３に対して比較的大流量で水を流すことができる。
【００５８】
なお、外壁面材２１の温度が所定の閾値αよりも低いか否かの判定は、例えば一階部分１１の外壁面材２１の温度及び二階部分１２の外壁面材２１の温度の少なくともいずれかが所定の閾値αよりも低いか否かに基づいて行う。また、居室１６，１７の温度が所定の閾値βよりも低いか否かの判定は、例えば一階居室１６の温度及び二階居室１７の温度の少なくともいずれかが所定の閾値βよりも低いか否かに基づいて行う。その後、本処理を終了する。
【００５９】
なお、外壁面材２１の温度及び居室１６，１７の温度に基づく切替部材４２の位置切替を、換言すると複数の中空通路２３への水の供給量の大小の切替を、上記の構成に代えて、例えば外壁面材２１の温度と居室１６，１７の温度との温度差に基づいて行ってもよい。
【００６０】
一方、先のステップＳ１１において隣家５５で火災が発生した場合には、ステップＳ１３に進み、火災時給水処理を実施する。この処理では、開閉バルブ３６を開状態とするとともに、回転駆動部４７を駆動させ切替部材４２を第３位置に移動させる。この場合、貯水槽３１の水が水吐出部４０より各中空通路２３及び各目地通路２９に対して供給される。これにより、隣家５５で火災が発生した場合は、外壁面材２１におけるすべての水通路２３，２９に水を流すことができる。その後、本処理を終了する。
【００６１】
また、隣家５５で火災が発生しておらず（ステップＳ１１でＮＯ判定）、かつ、外壁面材２１の温度が給水開始温度Ｔｗよりも低い（ステップＳ１２でＮＯ判定）場合には、ステップＳ１５に進み、給水停止処理を実行する。この処理では、開閉バルブ３６を閉状態とすることで、貯水槽３１から水吐出部４０への水の供給を禁止する。これにより、水吐出部４０から水通路２３，２９への水の吐出（供給）が停止され、ひいては水通路２３，２９における水の流通が停止する。その後、本処理を終了する。
【００６２】
以上、詳述した本実施形態の構成によれば、以下の優れた効果が得られる。
【００６３】
外壁面材２１に上下方向に延びる複数の水通路２３，２９を設け、これら複数の水通路２３，２９への水の供給を行う水供給系統３０を設けた。そして、外壁温センサ５１により検知された外壁面材２１の温度に基づいて複数の水通路２３，２９への水の供給態様を制御することとした。この場合、外壁面材２１の温度に応じて水の供給態様を変更することができる。よって、外壁面材２１の温度状況に応じて好適に水を外壁面材２１に沿って流すことができる。
【００６４】
具体的には、外壁面材２１の温度に基づいて、複数の水通路２３，２９への水の供給量を制御することとした。これにより、外壁面材２１の温度が高くなった場合には、複数の水通路２３，２９への水の供給量を増やしこれらの水通路２３，２９を流れる水の量を多くすることで外壁面材２１の温度上昇を抑制する効果を高めることができる。また、外壁面材２１の温度が低い場合には、複数の水通路２３，２９への水の供給量を減らしこれらの水通路２３，２９を流れる水の量を少なくすることで、貯水槽３１の水を無駄に使用することを抑制できる。よって、この場合、外壁面材２１の温度状況に応じて適切な量の水を外壁面材２１に沿って流すことができる。
【００６５】
また、外壁面材２１の温度に加え居室１６，１７の温度に基づいて、複数の水通路２３，２９への水の供給量を制御した。これにより、居室１６，１７の温度が高い場合に複数の水通路２３，２９に流す水の量を多くすることができる。よって、居室１６，１７が暑くなっている場合に、外壁面材２１の温度上昇を抑制する効果を高めることができ、その結果居室１６，１７における冷房負荷の軽減を図ることができる。
【００６６】
外壁面材２１の温度に基づいて、複数の水通路２３，２９のうちいずれの水通路２３，２９に水を供給するのかを切り替えるようにした。これにより、外壁面材２１の温度状況に応じて外壁面材２１において水を流す場所を変えることが可能となる。
【００６７】
水を供給する供給先の水通路２３，２９の数を増減させることにより、複数の水通路２３，２９へ供給する水の供給量を制御するようにした。この場合、複数の水通路２６，２９への水の供給量を制御するに際し実用上好ましい構成といえる。
【００６８】
外壁温センサ５１の検知結果に基づいて隣家５５で火災が発生したか否かを判定し、火災が発生していないと判定した場合と火災が発生していると判定した場合とで、水通路２３，２９への水の供給態様を変更することとした。具体的には、火災が発生していると判定した場合には、火災が発生していないと判定した場合よりも複数の水通路２３，２９への水の供給量を増やすようにした。この場合、火災発生時には外壁面材２１周辺の防火性能を高めることができる。よって、隣家５５で火災が発生しているか否かに応じて好適に外壁面材２１に沿って水を流すことができる。
【００６９】
水通路２３，２９として、火災時にのみ水を流す目地通路２９を備え、隣家５５で火災が発生していると判定した場合には少なくとも目地通路２９に水を供給するようにした。これにより、火災発生時には、建物外周部において外壁面材２１が存在していない縦目地２５部分に、すなわち建物外周部において防火性の面で劣る縦目地２５部分に水を流すことができるため、建物外周部の防火性能を高めることができる。
【００７０】
〔第２の実施形態〕
次に、第２の実施形態の構成を図７乃至図９に基づいて第１の実施形態との相違点を中心に説明する。なお、図７は、外壁面材の構成を示す横断面図であり、図８は、給水系統を示す平面図であり、図９は、外壁面材周辺を屋外側から見た図である。
【００７１】
図７に示すように、本実施形態の外壁面材６１には、その内部に上下方向に延びる中空部６２が形成されており、その表面側に同じく上下方向に延びる溝部６３が形成されている。中空部６２は、外壁面材６１の幅方向に所定の間隔で複数設けられており、同様に、溝部６３も同方向に所定の間隔で複数設けられている。そして、各中空部６２と各溝部６３とは外壁面材６１の幅方向において交互に配置されている。
【００７２】
中空部６２及び溝部６３はそれぞれ、外壁面材６１の高さ方向全域に亘って延びており（詳細には後述する開口部６５が設けられている部分を除く）、その上端部及び下端部においてそれぞれ開口されている。そして、本実施形態では、この中空部６２と溝部６３とを水を流すための水通路としており、以下の説明では、中空部６２を中空通路６２といい、溝部６３を溝通路６３という。また、ここで中空通路６２が内部通路に相当し、水通路６３が表面通路に相当する。
【００７３】
次に、中空通路６２及び溝通路６３に貯水槽３１の水を供給するための給水系統について図８に基づき説明する。
【００７４】
図８に示すように、貯水槽３１には、給水配管７１が接続されている。給水配管７１は下流側で第１配管７２と第２配管７３とに分岐されている。第１配管７２は、その下流側の部分が二階部分１２の外壁面材６１の上方において同外壁面材６１の幅方向に延びる吐出部７４となっている。吐出部７４は、二階部分１２の外壁面材６１の各溝通路６３上に跨るようにして延びている。一方、第２配管７３も、その下流側の部分が二階部分１２の外壁面材６１の上方において同外壁面材６１の幅方向に延びる吐出部７５となっている。吐出部７５は、二階部分１２の外壁面材６１の各中空通路６２上に跨るようにして延びている。
【００７５】
第１配管７２の吐出部７４には、その長手方向において溝通路６３の上方位置に吐出孔部７７が形成されている。吐出孔部７７は、吐出部７４に供給された貯水槽３１の水を溝通路６３に吐出するための孔であり、溝通路６３側に向けて開口されている。第２配管７３の吐出部７５には、その長手方向において中空通路６２の上方位置に吐出孔部７８が形成されている。吐出孔部７８は、吐出部７５に供給された貯水槽３１の水を中空通路６２に吐出するための孔であり、中空通路６２側に向けて開口されている。
【００７６】
第１配管７２における吐出部７４よりも上流側には、第１開閉バルブ８１が設けられ、第２配管７３における吐出部７５よりも上流側には、第２開閉バルブ８２が設けられている。これら各バルブ８１，８２は、電気的な操作により開閉動作を行うことで、各々の配管７２，７３における水の流通を許可又は禁止するものである。ここで、第１開閉バルブ８１が開状態とされると、貯水槽３１の水が給水配管７１を介して第１配管７２の吐出部７４に供給され、当該吐出部７４の各吐出孔部７７より溝通路６３に吐出（供給）される。この場合、水が溝通路６３を下方に向かって流れる。一方、第２開閉バルブ８２が開状態とされると、貯水槽３１の水が給水配管７１を介して第２配管７３の吐出部７５に供給され、当該吐出部７５の各吐出孔部７８より中空通路６２に吐出（供給）される。この場合、水が中空通路６２を下方に向かって流れる。
【００７７】
また、図９に示すように、本実施形態の建物６０には、二階部分１２の外壁面材６１に、屋内外を連通する開口部６５が設けられている。開口部６５は，内壁面材（図示略）に形成された開口部等とともに窓部６６を構成している。窓部６６には、当該窓部６６を開閉する開閉部材としてのガラス戸６７が設けられ、ガラス戸６７には、当該ガラス戸６７を開閉駆動する開閉駆動部６８が設けられている。開閉駆動部６８は、例えば電動モータ等の電動式の駆動機構からなる。
【００７８】
外壁面材６１に形成された各中空通路６２及び各溝通路６３のうち一部の通路は開口部６５によって上下に分断されている。分断された上下の通路のうち上側の通路は下端部（すなわち下流側端部）が開口部６５に通じる開口部用水通路６２ａ，６３ａとなっている。したがって、水吐出部４０より貯水槽３１の水が開口部用水通路６２ａ，６３ａに供給されると、その供給された水は同水通路６２ａ，６３ａを下方に流れ最終的に開口部６５に向けて吐出される。なおここで、開口部用水通路６２ａ，６３ａが火災時用水通路に相当する。
【００７９】
また、建物１０には、当該建物１０周りを吹く風の向きを検知する風向センサ６９が設けられている。風向センサ６９は、例えば外壁面材６１の屋外面に設けられている。
【００８０】
図８に示すように、コントローラ５０は、外壁温センサ５１、居室温センサ５２、風向センサ６９の検知結果に基づいて、各開閉バルブ８１，８２を開閉制御するとともに開閉駆動部６８を駆動制御する。以下、コントローラ５０により実行される制御の内容を説明する。また、本実施形態では、通常給水処理（図６のステップＳ１４）及び火災時給水処理（図６のステップＳ１３）の内容が第１実施形態と異なり、それ以外の処理については第１実施形態と同じであるため、以下においては通常給水処理及び火災時給水処理の内容を中心に説明する。
【００８１】
まず、通常給水処理について説明する。本処理では、コントローラ５０は、第１開閉バルブ８１を開状態とするとともに第２開閉バルブ８２を閉状態とする。この場合、貯水槽３１の水が第１配管７２の吐出部７４より外壁面材６１の溝通路６３に供給される。そのため、隣家５５で火災が発生していない場合には、水通路６２，６３のうち溝通路６３にのみ水が流れる。
【００８２】
ここで、上述したように各溝通路６３のうち開口部用溝通路６３ａを流れる水は最終的に開口部６５に向けて吐出されるため、屋外の気温が高い場合等には、その吐出された水が一部気化し、その気化熱により開口部６５周辺の外気が冷やされると考えられる。そこで、本処理では、この点に着目し、さらに風向センサ６９により検知された風の向きに基づいて、ガラス戸６７を開閉するよう開閉駆動部６８の駆動制御を行う。具体的には、風向センサ６９により検知された風の向きが開口部６５に向かう向きである場合に、ガラス戸６７を開くよう制御する。この場合、気化熱により冷やされた外気を開口部６５に向かって吹く風とともに開口部６５に取り込むことができるため、二階居室１７内を涼しくすることができる。
【００８３】
次に、火災時給水処理について説明する。本処理では、コントローラ５０は、第１開閉バルブ８１及び第２開閉バルブ８２の双方を開状態とする。この場合、貯水槽３１の水が第１配管７２の吐出部７４より外壁面材６１の溝通路６３に供給されるとともに、第２配管７３の吐出部７５より外壁面材６１の中空通路６２に供給される。そのため、隣家５５で火災が発生した場合には、水が溝通路６３に加え中空通路６２にも流れる。
【００８４】
ここで、火災発生時には、外壁面材６１の開口部６５を通じて火が入り込み易い。そのため、本処理では、さらにガラス戸６７を閉めるよう開閉駆動部６８の駆動制御を行う。これにより、火災発生時には、開口部６５が閉鎖されるとともに、閉鎖された開口部６５に対し溝通路６３と中空通路６２との双方から給水が行われるため開口部６５周りの防火性能を高めることができる。
【００８５】
なお、コントローラ５０は、通常給水処理及び火災時給水処理を実行しない場合には、第１開閉バルブ８１及び第２開閉バルブ８２の双方を閉状態とし、溝通路６３及び中空通路６２への給水処理を停止する。
【００８６】
以上、詳述した本実施形態の構成によれば、以下の優れた効果が得られる。
【００８７】
外壁面材６１に、水通路として、外壁面材６１の内部に設けられた中空通路６２と、外壁面材６１の表面側に設けられた溝通路６３とを設け、隣家５５で火災が発生してない場合には通常給水処理として中空通路６２に水を供給し、隣家５５で火災が発生している場合には火災時給水処理として中空通路６２に加え溝通路６３にも水を供給した。火災発生時に溝通路６３に水を流す場合、火災による炎熱の影響で水が短時間で気化し消失してしまうおそれがある。これに対し、中空通路６２に水を流すようにすると、炎熱による水の気化を抑制することができる。そのため、上記の構成は、外壁面材６１の温度上昇を抑制する上で好ましい構成といえる。
【００８８】
また、非火災時は、主に水通路を流れる水の気化に伴う気化熱により外壁面材６１の温度上昇の抑制を図り、火災時は、主に炎熱により加熱された外壁面材６１よりも低温の水を水通路に流すことで外壁面材６１の温度上昇の抑制を図ることが考えられる。この点を鑑みると、非火災時には溝通路６３に水を流し、火災時には溝通路６３に加え中空通路６２に水を流す上記構成は望ましい構成といえる。
【００８９】
外壁面材６１に、水通路として同外壁面材６１に設けられた開口部６５に通じる開口部用水通路６２ａを設け、隣家５５で火災が発生していると判定した場合には開口部用水通路６２ａに水を供給するようにした。これにより、隣家５５で火災が発生した場合には外壁面材６１の開口部６５に開口部用水通路６２ａを通じて水が供給されるため、建物１０内への火の入り込み口となり易い開口部６５周辺の防火性能を高めることができる。
【００９０】
〔他の実施形態〕
本発明は上記実施形態に限らず、例えば次のように実施されてもよい。
【００９１】
（１）上記各実施形態では、貯水槽３１の水を外壁面材２１，６１の水通路に流した後屋外に放出する構成、すなわち水を再利用しない構成としたが、これを変更し、貯水槽３１の水を水通路を通じて循環させ水の再利用を行う構成としてもよい。以下、その具体例について説明する。
【００９２】
図１０は、本例における外壁流水システムの構成を示す図である。図１０に示すように、本例の建物１０には、貯水槽３１の水を循環させるための循環回路９１が設けられている。循環回路９１は、貯水槽３１に接続された給水配管９２と、給水配管９２の下流側端部において分岐され外壁面材２１の各中空部２３に設けられた複数の分岐系統９３と、これら各分岐系統９３の下流側端部において集合され貯水槽３１に通じる戻り配管９４とを備える。給水配管９２には、開閉バルブ９６と、循環ポンプ９７とが設けられている。開閉バルブ９６は、開閉動作を行うことで循環回路９１における水の流通を許可又は禁止するものである。循環ポンプ９７は、貯水槽３１の水を循環回路９１に循環させるものであり、例えばダイアフラムポンプ等からなる。また、循環ポンプ９７は、循環回路９１に循環させる水の流量を調整する機能を有している。
【００９３】
図１１は、外壁面材２１の各中空部２３に分岐系統９３が設けられた状態を示す横断面図である。図１１に示すように、外壁面材２１の各中空部２３にはそれぞれ分岐系統９３が設けられ、それら各分岐系統９３はそれぞれ上下に延びる一対の配管９３ａ，９３ｂを有する。各配管９３ａ，９３ｂは、熱伝導性に優れた金属材料からなり、その外周面が中空部２３の内周面に接触した状態で同中空部２３に設けられている。なおここで、分岐系統９３の各配管９３ａ，９３ｂが水通路に相当する。
【００９４】
図１０の説明に戻り、分岐系統９３の各配管９３ａ，９３ｂは、一階部分１１の外壁面材２１の中空部２３と二階部分１２の外壁面材２１の中空部２３とに跨って延びており、詳しくはそれら各中空部２３の全域に亘って延びている。分岐系統９３の各配管９３ａ，９３ｂのうち、第１配管９３ａは給水配管９２の下流側端部に接続され、第２配管９３ｂは戻り配管９４の上流側端部に接続されている。また、各分岐系統９３において第１配管９３ａと第２配管９３ｂとは、水を加熱又は冷却することで水温調整を行う水温調整装置９８により接続されている。
【００９５】
ここで、貯水槽３１の水は給水配管９２を介して各分岐系統９３の第１配管９３ａに供給され各々の配管９３ａを下方に向かって流れる。各第１配管９３ａを流れる水は水温調整装置９８に供給され同装置９８により所望の温度に調整される。そして、温度調整された水は水温調整装置９８から各第２配管９３ｂに吐出されて各々の配管９３ｂを上方に向かって流れ、その後戻り配管９４を通じて貯水槽３１に戻される。このようにして、本例では、貯水槽３１の水が循環回路９１を通じて循環される。
【００９６】
次に、本システムにおいてコントローラ５０により実行される制御の内容を説明する。
【００９７】
コントローラ５０は、外壁温センサ５１等の検知結果に基づいて、開閉バルブ９６、循環ポンプ９７及び水温調整装置９８を動作制御する。例えば、夏季等において、外壁面材２１の温度が所定温度（例えば４０℃）以上になった場合には、開閉バルブ９６を開状態とするとともに循環ポンプ９７を作動させ、貯水槽３１の水を循環回路９１に循環させる。そして、水温調整装置９８により循環回路９１を流れる水を冷却する。この場合、冷却された水により外壁面材２１が冷やされる。一方、冬季等において、外壁面材２１の温度が所定温度（例えば１０℃）以下になった場合には、上記と同様に貯水槽３１の水を循環回路９１に循環させ、水温調整装置９８により同回路９１を流れる水を加熱する。この場合、加熱された水により外壁面材２１が暖められる。
【００９８】
また、コントローラ５０は、外壁温センサ５１等の検知結果に基づいて、循環回路９１を循環する水の流量を調整するよう循環ポンプ９７を動作制御する。例えば、夏季等において、循環回路９１に水温調整装置９８により冷却された冷却水を循環させる場合には、外壁面材２１の温度が高いほど循環回路９１における水の流量を多くするよう循環ポンプ９７を制御する。これにより、外壁面材２１の温度が高くなった場合には、分岐系統９３に供給される水の供給量を、すなわち分岐系統９３を流れる水の量を多くすることができ、その結果外壁面材２１の温度上昇を抑制する効果を高めることができる。よって、外壁面材２１の温度状況に応じて適切な量の水を外壁面材２１に沿って流すことが可能となる。
【００９９】
次に、本システムを用いて外壁面材２１を冷やしたり暖めたりする場合の外壁部１９における温度分布について、従来例と比較しつつ説明する。図１２は、外壁部１９における温度分布を示す図であり、（ａ）が夏季における温度分布を示し、（ｂ）が冬季における温度分布を示している。
【０１００】
図１２に示すように、外壁部１９には、屋外側から屋内側にかけて順に外壁面材２１、断熱材１０１、下地材１０２、内壁面材１０３が設けられている。より詳しくは、外壁面材２１と断熱材１０１との間には通気層１０４が形成されている。このような構成において、まず図１２（ａ）に示すように、夏季において従来（つまり外壁面材２１に流水を行わない場合）は外壁部１９の厚み方向における温度勾配が急であったのに対し、本システムではその温度勾配が緩やかになっている。そのため、屋外側から外壁部１９を通じて居室１６，１７に流入する熱量を低減させることができ、その結果冷房装置の負荷低減を図ることができる。
【０１０１】
一方、図１２（ｂ）に示すように、冬季において従来は外壁部１９の厚み方向における温度勾配が急であったのに対し、本システムではその温度勾配が緩やかになっている。そのため、居室１６，１７から外壁部１９を通じて屋外側に流出する熱量を低減させることができ、その結果暖房装置の負荷低減を図ることができる。また、外壁部１９を介して流出入する熱量を低減させた分、断熱材１０１の厚みを小さくしてもよく、その場合外壁部１９全体の厚みを小さくすることができ、居室１６，１７のスペース拡張を図ることができる。
【０１０２】
（２）上記各実施形態では、隣家５５に面して設置された外壁面材２１，６１に、すなわち建物１０において一の方角に設けられた外壁面材２１，６１に本外壁流水システムを適用したが、異なる方角に設けられた複数の外壁面材に本システムを適用してもよい。その一例を図１３に示す。図１３に示すように、本例の建物１０には、東西南北の各方角に外壁面材２１が設けられ、これら各方角の外壁面材２１にそれぞれ水通路２３，２９が設けられている。そして、建物１０には、各方角の外壁面材２１ごとに個別に貯水槽３１の水を水通路２３，２９に供給する複数の水供給系統３０が設けられている。したがって、本例では、貯水槽３１の水を各方角の外壁面材２１に供給することが可能となっている。
【０１０３】
外壁温センサ５１は、各方角の外壁面材２１にそれぞれ設けられ、それら各センサ５１はそれぞれ対応する外壁面材２１の温度を検知する。コントローラ５０は、各外壁温センサ５１の検知結果に基づいて、いずれの方角の外壁面材２１の水通路（中空通路２３）に水を供給するかを制御する。具体的には、コントローラ５０は、各方角の外壁面材２１のうちその温度が給水開始温度Ｔｗ以上になったものがあれば、当該外壁面材２１の水通路２３に水を供給すべく該当する開閉バルブ３６を開状態とする。この場合、各方角の外壁面材２１のうちで温度上昇した外壁面材２１に沿って水を流すことができる。そのため、建物１０に対する日射位置の変動等により、温度上昇する外壁面材２１の位置が変わっても、それに追従して外壁面材２１の温度上昇を抑制することできる。
【０１０４】
また、コントローラ５０は、各外壁温センサ５１の検知結果に基づいて、建物１０周りにおけるいずれの方角で火災が発生したかを判定し、火災が発生した方角に設けられた外壁面材２１の水通路２３，２９に水を供給するよう制御してもよい。具体的には、コントローラ５０は、各方角の外壁面材２１のうちその温度が火災発生温度Ｔｆよりも高くなったものがあれば、当該外壁面材２１の水通路２３，２９に水を供給すべく該当する開閉バルブ３６を開状態とする。この場合、火災が発生した方角に設けられた外壁面材２１に水を流すことができるため、建物１０周りで火災が発生した場合には火災発生側の防火性能を高めることができる。そのため、建物１０の周囲において異なる方角に複数の隣家がある場合等には都合がよい。
【０１０５】
（３）上記各実施形態では、二階部分１２に設けられた複数の外壁面材２１，６１についてまとめて水通路への水の供給を行ったが、各外壁面材２１，６１ごとに個別に水通路への水の供給を行ってもよい。具体的には、二階部分１２における各外壁面材２１ごとに水通路２３への水の供給を行う複数の水供給系統３０を設けることが考えられる。この場合、各外壁面材２１ごとにそれぞれ各々の外壁面材２１の温度を検知する外壁温センサ５１を設け、コントローラ５０により、それら各外壁温センサ５１の検知結果に基づいて給水処理を実施する。具体的には、コントローラ５０は、各外壁面材２１のうちその温度が給水開始温度Ｔｗ以上になったものがあれば、当該外壁面材２１の水通路２３に貯水槽３１の水を供給すべく該当する開閉バルブ３６を開状態とする。これにより、各外壁面材２１のうち温度上昇した外壁面材２１にのみ水を流すことができるため、水の節約を図ることができる。特に、貯水槽３１の水を用いて外壁面材２１に水を流す構成の場合、その効果が大きい。
【０１０６】
（４）上記第１の実施形態では、二階部分１２の外壁面材２１の水通路２３，２９に水を供給するようにし、その供給した水が当該水通路２３，２９を流れた後、一階部分１１の外壁面材２１の水通路２３，２９に入り込むようにした。そのため、一階部分１１の水通路２３，２９には、二階部分１２で暖められた水が入り込むこととなり、それ故一階部分１１の外壁面材２１についてはその温度上昇を好適に抑制できないおそれがある。そこで、この点に鑑みて、貯水槽３１の水を、二階部分１２の外壁面材２１の水通路２３，２９と、一階部分１１の外壁面材２１の水通路２３，２９とにそれぞれ個別に供給できるようにしてもよい。その具体的を図１４に示す。
【０１０７】
図１４に示すように、本例では、貯水槽３１に接続された給水配管１０９が下流側で一階側配管１１０と二階側配管１１１とに分岐されており、それら分岐された各配管１１０，１１１の下流側端部にそれぞれ水吐出部４０が接続されている。一階側水吐出部４０ａは、一階部分１１の外壁面材２１の上方に設けられ、当該外壁面材２１の水通路２３，２９に水を吐出するものである。二階側水吐出部４０ｂは、二階部分１２の外壁面材２１の上方に設けられ、当該外壁面材２１の水通路２３，２９に水を吐出するものである。
【０１０８】
一階側配管１１０と二階側配管１１１とにはそれぞれ開閉バルブ１１２，１１３が設けられている。一階側開閉バルブ１１２が開状態とされると貯水槽３１の水が一階側配管１１０を介して一階側水吐出部４０ａに供給され、当該吐出部４０ａより一階部分１１の外壁面材２１の水通路２３，２９に水が吐出（供給）される。一方、二階側開閉バルブ１１３が開状態とされると貯水槽３１の水が二階側配管１１１を介して二階側水吐出部４０ｂに供給され、当該吐出部４０ｂより二階部分１２の外壁面材２１の水通路２３，２９に水が吐出（供給）される。このように、本例のシステムでは、一階部分１１の水通路２３，２９と二階部分１２の水通路２３，２９とに個別に水を供給可能となっている。
【０１０９】
コントローラ５０は、一階外壁温センサ５１ａ及び二階外壁温センサ５１ｂの検知結果に基づいて、各開閉バルブ１１２，１１３を動作制御する。具体的には、コントローラ５０は、一階部分１１の外壁面材２１の温度が給水開始温度Ｔｗ以上になった場合には、一階側開閉バルブ１１２を開状態とし、一階部分１１の水通路２３，２９に貯水槽３１の水を供給する。また、二階部分１２の外壁面材２１の温度が給水開始温度Ｔｗ以上になった場合には、二階側開閉バルブ１１３を開状態とし、二階部分１２の水通路２３，２９に貯水槽３１の水を供給する。つまり、この場合、一階部分１１及び二階部分１２の外壁面材２１のうち、温度上昇した外壁面材２１に対し直接水を供給できる。よって、一階部分１１の外壁面材２１が温度上昇した場合には、当該外壁面材２１の水通路２３，２９に直接水を供給することで、一階部分１１の外壁面材２１の温度上昇を好適に抑制できる。
【０１１０】
（５）上記実施形態では、外壁面材２１の温度に基づいて水通路２３，２９への水の供給量を段階的に調整するようにしたが、外壁面材２１の温度に基づいて水通路２３，２９への水の供給量を連続的に調整してもよい。例えば、給水配管３４に、開閉バルブ３６に代えて、連続的に流量調整が可能な可変バルブを設け、外壁面材２１の温度に基づいて給水配管３４を流れる水の流量を可変バルブにより連続的に制御することが考えられる。具体的には、外壁面材２１の温度が高くなるのに比例して給水配管３４を流れる水の流量を、すなわち水通路２３，２９への水の供給量を増大させることが考えられる。この場合、外壁面材２１の温度状況に応じてより一層適切な量の水を外壁面材に沿って流すことができる。
【０１１１】
（６）上記各実施形態では、外壁面材２１，６１の中空部２３，６２を利用して水通路を構成したが、中空部を有しない外壁面材の場合、水通路を構成するための水通路構成部材を別途外壁面材に設けたりする必要がある。例えば、図１５に示すように、水通路構成部材１１６を、板金を凹凸状に折り曲げ形成して構成し、該構成部材１１６を外壁面材１１５の裏面側に取り付けることにより所定間隔で複数の水通路１１９を形成することが考えられる。
【０１１２】
（７）貯水槽３１に、建物１０内に通じる配管を接続し、貯水槽３１の水を建物１０内に供給可能としてもよい。例えば、貯水槽３１に、トイレに通じる配管を接続することが考えられる。この場合、断水時等に貯水槽３１の水を汚水処理に使用することが可能となる。
【０１１３】
また、貯水槽３１の水を屋根部１５上に散水する散水装置を設けてもよい。この場合、定期的に屋根部１５上に散水を行うことで屋根部１５の温度上昇を抑制でき、その結果冷房負荷の低減に寄与することができる。
【０１１４】
（８）外壁面材２１の中空部２３に、保水機能を有する保水部材を設けてもよい。例えば、保水部材として金属製のパイプを用い、そのパイプ内部に水を保有させることが考えられる。そして、保水部材を加熱及び冷却する装置を設け、この装置により保水部材を加熱又は冷却することで保水部材内部の水を加熱又は冷却し、ひいては外壁面材２１の温度調整を行う。これにより、冷暖房の負荷軽減に寄与することができる。
【符号の説明】
【０１１５】
１０…建物、１１…下階部としての一階部分、１２…上階部としての二階部分、１６…屋内空間としての一階居室、１７…屋内空間としての二階居室、２１…外壁面材、２３…通常通路としての中空通路、２５…目地部としての縦目地部、２９…火災時用水通路としての目地通路、３０…水供給手段としての水供給系統、５０…供給態様制御手段及び火災判定手段としてのコントローラ、５１…外壁温検知手段としての外壁温センサ、５２…屋内温検知手段としての居室温センサ。
【図１】
2012041705.tif 000003
【図２】
2012041705.tif 000004
【図３】
2012041705.tif 000005
【図６】
2012041705.tif 000006
【図７】
2012041705.tif 000007
【図８】
2012041705.tif 000008
【図９】
2012041705.tif 000009
【図１０】
2012041705.tif 000010
【図１１】
2012041705.tif 000011
【図１２】
2012041705.tif 000012
【図１３】
2012041705.tif 000013
【図１４】
2012041705.tif 000014
【図１５】
2012041705.tif 000015
【図４】
2012041705.tif 000016
【図５】
2012041705.tif 000017